(57)【要約】【課題】  球体を床面や壁面にぶつけたり、転がしたりすることによって球体内にある振動発電部を介してＬＥＤを点灯させて結果として球体を照明する振動発電による子供遊び用道具を提供する。【解決手段】  透光性プラスチックからなる球体１の内部には外力により振れ動く圧電素子２が配設され、圧電素子２から発生する電流によってＬＥＤ４が点灯し球体１を照明させる。【選択図】  図１
0003169881.tif 000002
【実用新案登録請求の範囲】
【請求項１】
上下動又は前後動又は転動によって生ずる外力による振動によって電流を発生させてＬＥＤを点灯する子供遊び用道具であって、該道具は、透光性プラスチック材の球体と、該球体内に収納される振動発電部と、該発電部にそのまま又は整流器を介して連結されるＬＥＤとを設けるものからなることを特徴とする振動発電による子供遊び用道具。
【請求項２】
前記振動発電部が圧電素子からなることを特徴とする請求項１に記載の振動発電による子供遊び用道具。
【請求項３】
前記振動発電部が永久磁石を用いた電磁誘導体からなることを特徴とする請求項１に記載の振動発電による子供遊び用道具。
【考案の詳細な説明】
【技術分野】
【０００１】
本考案は、子供の遊び用の道具であって、球体を床面や壁面にぶつけたり、転がしたりすることによって生ずる外力を用いて球体内に振動力発電を生じさせてＬＥＤを点灯させて前記球体を照明する遊び用道具であって、特に内部に電池を使用しない振動発電による子供遊び用道具に関する。
【背景技術】
【０００２】
圧電素子に外力を加えたり、外力により電磁石をコイル内で移動させて電流を発生させるものは従来より各種のものが使用されているが球体内で振動発電を発生してＬＥＤを点灯して球体自体を照明するものは出願人の調査では存在していない。但し、これに似ている先行技術としては下記のものが挙げられる。
【先行技術文献】
【特許文献】
【０００３】
【特許文献１】特開２００６−１６６６９４号（図４）
【非特許文献】
【０００４】
【非特許文献１】“振動力発電のすべて”（日本実業出版社発行，速水浩平著）
【考案の概要】
【考案が解決しようとする課題】
【０００５】
前記の「特許文献１」の「特開２００６−１６６６９４号」の「振動力発電装置」は音による空気の圧力変動を圧電素子に与えて発電するものであり、圧電素子を外力によって作動させる点において本考案と似ている点があるが全体構造としては大きく相違するものである。
また、「非特許文献１」の「著書」にはその内部に圧電素子を振動させて発電をする技術が記載されているが、これによりＬＥＤを点灯させて球体を照明する遊び道具の如きものについては記載されていない。
【０００６】
子供の遊び道具としては各種のものがあるが、球体を床面にぶつけたり、壁面にぶつけたりする動作は子供の好むものであり、単純の動作であるが遊び具としては楽しいものである。また、この球体がその動作によって照明することが出来れば楽しみは倍増する。また、発電のために電池を内蔵させるものでは電池の消滅やその交換が必要となり、面倒である。
【０００７】
本考案は、以上の事情に鑑みて考案されたものであり、子供の好む動作によって球体の自然照明が可能になり、かつ長時間そのまま使用できて楽しみが持続される振動発電による子供遊び用道具を提供することを目的とする。
【課題を解決するための手段】
【０００８】
本考案は、以上の目的を達成するために、請求項１の考案は、上下動又は前後動又は転動によって生ずる外力による振動によって電流を発生させてＬＥＤを点灯する子供遊び用道具であって、該道具は、透光性プラスチック材の球体と、該球体内に収納される振動発電部と、該発電部にそのまま又は整流器を介して連結されるＬＥＤとを設けるものからなることを特徴とする。
【０００９】
また、請求項２の考案は、前記振動発電部が圧電素子からなることを特徴とする。
【００１０】
また、請求項３の考案は、前記振動発電部が永久磁石を用いた電磁誘導体からなることを特徴とする。
【考案の効果】
【００１１】
本考案の請求項１の振動発電による子供遊び用道具によれば、球体を床面や壁面にぶつけたり転がしたりすることによって生ずる外力によって球体内に振動発電が生じてＬＥＤを点灯させることができ、球体が照明される。この単純の動作によって子供に長時間楽しい遊び心を生じさせることができる。
【００１２】
また、本考案の請求項２の振動発電による子供遊び用道具によれば、振動発電が圧電素子により発生するため、安定した、かつ確実で騒音も生じない効果を生じさせることができる。
【００１３】
また、本考案の請求項３の振動発電による子供遊び用道具によれば、電磁発電を球体内で生じさせるため比較的安価な手段により確実な発電を生じさせることができる。
【図面の簡単な説明】
【００１４】
【図１】外力により振れ動く圧電素子を用いた振動発電による子供遊び用道具の内部構造を示す断面図（ａ）、この側面図（ｂ）及び圧電素子とＬＥＤとの関係を示す回路図（ｃ）。
【図２】ビー玉等の玉の移動による衝撃力によって圧電素子を作動させて発電する振動発電による子供遊び用道具の内部の概要構造を示す断面図及びその構成図。
【図３】空気振動による外力によって圧電素子を作動して発電する振動発電による子供遊び用道具の概要構造を示す断面図。
【図４】移動する永久磁石を用いた電磁誘導式の振動発電による子供遊び用道具の内部の概要構造の断面図とその構成図。
【考案を実施するための形態】
【００１５】
以下、本考案の振動発電による子供遊び用道具の実施の形態を図面を参照して詳述する。
【実施例１】
【００１６】
図１（ａ）及び（ｂ）に示すように、この実施例１における振動発電による子供遊び用道具１００は主に次の構成部からなる。即ち、球体１と、球体１の空間部３内に収納され圧電フイルム２ａと振動板２ｂとからなる振れ型の圧電素子２と、圧電素子２に電気的に連結されるＬＥＤ４とからなる。なお、この実施例１では整流器は使用していないため、比較的単純な電気回路によって圧電素子２とＬＥＤ４とは連結されている。
【００１７】
球体１は透光性のプラスチック材からなり、内部に空間部３を形成するものからなるが、勿論この形状に限定するものではなく、床面や壁面にぶつけられて上下動や前後動や転動をするものであればよく、材質も前記のものに限定するものではない。但し、球体１は床面等にぶつかることにより外力を受け、この外力が内部に減力損失が少ない状態で伝達される機能を有するものであることが望ましい。
【００１８】
圧電素子２は図１（ａ），（ｂ）に示すように比較的薄肉の矩形体のものからなり、外力作用によって振れ動く機能を有するものであることが望ましい。この圧電素子２は回路の形成されているベース台５にその基端部を固定される状態で配設される。また、圧電素子２の頂部には圧電素子２の振れを大きくするための重り６が固定されている。但し、圧電素子２の形状により重り６は必ずしも設けなくてもよい。
【００１９】
ベース台５にはＬＥＤ４が少なくとも２個配設されており、このＬＥＤ４，４は圧電素子２と電気的回路によって接続されているが、その回路構造の概要は図１（ｃ）に示されている。なお、ＬＥＤ４，４は互いに極性が逆に配設されている。これは圧電素子２の振れ方向が互いに逆になり、どの方向においてもＬＥＤ４，４が点灯可能にするためのものであり、この作用により整流器は不要となる。
また、詳細構造は省略するが、圧電素子２にはその振れ度合いを調整するためのストッパ７が設けられている。但し、圧電素子２の形状によりこのストッパ７はなくてもよい。
【００２０】
以上の構造の振動発電による子供遊び用道具１００は、全体を床面等にぶつけることにより外力が作用し、図１（ａ）の点線で示すように圧電素子２が振れ運動を起し、これにより電流が発生し、ＬＥＤ４，４を点灯させ、結果として球体１を照明することになる。
【００２１】
振動発電による子供遊び用道具１００の球体１やＬＥＤ４等の色は各種のものでよく、特に限定するものではない。また、ＬＥＤ４は多色的機能を有するものでよく、電流の大きさによって色の変化をするものでもよい。
【実施例２】
【００２２】
実施例１においては、振動発電による子供遊び用道具１００の振動発電部が振れ動作をする圧電素子２から形成されていたが、実施例２の振動発電による子供遊び用道具１００Ａはボール８（ビー玉の如きもの）が衝突等によって生ずる外力により上下動や前後動することを利用したものからなる。即ち、筒体９内にはボール８が移動可能に収納され、筒体９の上下には振動板１０と圧電フイルム２ａとからなる圧電素子２が配設される。この圧電素子２は整流器１１等を介してＬＥＤ４に連結されている。
【００２３】
以上の構造により、振動発電による子供遊び用道具１００Ａではボール８の移動によつてボール８が圧電素子２に外力を加え圧電素子２により電流が発生し、これによりＬＥＤ４が点灯する。
【実施例３】
【００２４】
実施例１や実施例２は振動や衝撃力を利用して圧電素子２を作動するものであるがこの実施例は球体１の空間部３に生ずる空気振動（音波）を利用するものである。圧電素子２はリング１５を介してベース台５上に載置されＬＥＤ４と連結されている。以上の構造により空間部３内に生じた音波により圧電素子が作動してＬＥＤ４を点灯することになる。
【実施例４】
【００２５】
実施例１，２，３はいずれも振動発電部として圧電素子２を使用するものであるが、実施例３は振動発電部として電磁誘導体を用いたものからなる。
この振動発電による子供遊び用道具１００Ｂはコイル１２の内部の空間部１３内に永久磁石１４を移動可能に配設したものからなる。なお、コイル１２は整流器１１を介してＬＥＤ４に連結される。
【００２６】
以上の構造により、外力の作用によって永久磁石１４が移動し、コイル１２に電流を発生させ、結果としてＬＥＤ４を点灯するものからなる。
【００２７】
本考案は以上の説明の内容のものからなるが、この考案は、以上の説明の内容に限定するものではなく、同一技術的範疇のものが適用されることは勿論である。
【産業上の利用可能性】
【００２８】
本考案は主として子供の遊び道具として作成されたものであるが、勿論用途としては子供でなくてもよく、老人や非健常者等にも利用されるものであり、その利用範囲は極めて広い。また、電池を使用せず長時間使用でき、安価に形成されるためその利用範囲は拡大することは明らかである。
【符号の説明】
【００２９】
１        球体
２        圧電素子
２ａ      圧電フイルム
２ｂ      振動板
３        空間部
４        ＬＥＤ
５        ベース台
６        重り
７        ストッパ
８        ボール
９        筒体
１０      振動板
１１      整流器
１２      コイル
１３      空間部
１４      永久磁石
１５      リング
１００    振動発電による子供遊び用道具
１００Ａ  振動発電による子供遊び用道具
１００Ｂ  振動発電による子供遊び用道具
１００Ｃ  振動発電による子供遊び用道具
【図１】
0003169881.tif 000003
【図２】
0003169881.tif 000004
【図３】
0003169881.tif 000005
【図４】
0003169881.tif 000006
【手続補正書】
【提出日】平成23年3月2日(2011.3.2)
【手続補正１】
【補正対象書類名】明細書
【補正対象項目名】００２５
【補正方法】変更
【補正の内容】
【００２５】
実施例１，２，３はいずれも振動発電部として圧電素子２を使用するものであるが、実施例４は振動発電部として電磁誘導体を用いたものからなる。
この振動発電による子供遊び用道具１００Ｃはコイル１２の内部の空間部１３内に永久磁石１４を移動可能に配設したものからなる。なお、コイル１２は整流器１１を介してＬＥＤ４に連結される。